Podtech/llm-jp-corpus-v4-ja_patent huggingface dataset:
【手続補正書】
【提出日】平成29年10月2日(2017.10.2)
【手続補正１】
【補正対象書類名】明細書
【補正対象項目名】０００１
【補正方法】変更
【補正の内容】
【０００１】
本発明は、遊技者に有利な特別遊技状態を発生可能な遊技機に関する。
【手続補正２】
【補正対象書類名】明細書
【補正対象項目名】０００４
【補正方法】変更
【補正の内容】
【０００４】
従来の遊技機では、変動入賞装置に不正に遊技球を入賞させても有効な入賞として処理されてしまうなど、不正防止が十分ではなかった。本発明の目的は、不正行為を防止することである。
【手続補正３】
【補正対象書類名】明細書
【補正対象項目名】０００５
【補正方法】変更
【補正の内容】
【０００５】
以上の課題を解決するため、請求項１に記載の発明は、
遊技者に有利な特別遊技状態を発生可能な遊技機において、
遊技を制御する遊技制御手段と、
前記特別遊技状態において遊技球が入賞不能な閉状態と遊技球が入賞可能な開状態とに変換可能な変動入賞装置と、を備え、
前記遊技制御手段は、
複数のラウンドで構成される前記特別遊技状態において、当該ラウンドにおける前記閉状態への変換に基づき、前記変動入賞装置に流入した遊技球の当該閉状態における検出を正常な入賞として扱う大入賞口残存球処理期間を開始するように制御し、
前記大入賞口残存球処理期間を、少なくとも前記特別遊技状態における前記変動入賞装置の開放時間を管理するためのタイマとは別のタイマで計時することを特徴とする。
【手続補正４】
【補正対象書類名】明細書
【補正対象項目名】０００６
【補正方法】変更
【補正の内容】
【０００６】
請求項１に記載の発明によれば、大入賞口残存球処理時間と変動入賞装置の開放時間を独立して管理するので、大入賞口残存球処理時間を適切に管理でき、変動入賞装置に対する不正行為を防止することができる。
【手続補正５】
【補正対象書類名】明細書
【補正対象項目名】０００７
【補正方法】変更
【補正の内容】
【０００７】
請求項２に記載の発明は、請求項１に記載の遊技機であって、
前記変動入賞装置は、
特別領域と、
当該変動入賞装置に入賞した全ての遊技球を検出する変動入賞装置検出手段と、
当該変動入賞装置に入賞した遊技球のうち、前記特別領域を通過した遊技球を検出する特別領域検出手段と、
当該変動入賞装置に入賞した遊技球のうち、前記特別領域とは異なる領域を通過した遊技球を検出する通過検出手段と、を備え、
前記遊技制御手段は、
前記大入賞口残存球処理期間が終了した以降における前記特別領域検出手段の遊技球の検出に基づいて、第１の異常を判定可能であり、
前記大入賞口残存球処理期間が終了した以降における前記変動入賞装置検出手段の遊技球の検出に基づいて、第２の異常を判定可能であり、
前記第１の異常は前記変動入賞装置検出手段および前記通過検出手段の遊技球の検出によらず判定可能であるとともに、前記第２の異常は前記特別領域検出手段および前記通過検出手段の遊技球の検出によらず判定可能であることを特徴とする。
【手続補正６】
【補正対象書類名】明細書
【補正対象項目名】０００８
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
遊技者に有利な特別遊技状態を発生可能な遊技機において、
遊技を制御する遊技制御手段と、
前記特別遊技状態において遊技球が入賞不能な閉状態と遊技球が入賞可能な開状態とに変換可能な変動入賞装置と、を備え、
前記遊技制御手段は、
複数のラウンドで構成される前記特別遊技状態において、当該ラウンドにおける前記閉状態への変換に基づき、前記変動入賞装置に流入した遊技球の当該閉状態における検出を正常な入賞として扱う大入賞口残存球処理期間を開始するように制御し、
前記大入賞口残存球処理期間を、少なくとも前記特別遊技状態における前記変動入賞装置の開放時間を管理するためのタイマとは別のタイマで計時することを特徴とする遊技機。
【請求項２】
前記変動入賞装置は、
特別領域と、
当該変動入賞装置に入賞した全ての遊技球を検出する変動入賞装置検出手段と、
当該変動入賞装置に入賞した遊技球のうち、前記特別領域を通過した遊技球を検出する特別領域検出手段と、
当該変動入賞装置に入賞した遊技球のうち、前記特別領域とは異なる領域を通過した遊技球を検出する通過検出手段と、を備え、
前記遊技制御手段は、
前記大入賞口残存球処理期間が終了した以降における前記特別領域検出手段の遊技球の検出に基づいて、第１の異常を判定可能であり、
前記大入賞口残存球処理期間が終了した以降における前記変動入賞装置検出手段の遊技球の検出に基づいて、第２の異常を判定可能であり、
前記第１の異常は前記変動入賞装置検出手段および前記通過検出手段の遊技球の検出によらず判定可能であるとともに、前記第２の異常は前記特別領域検出手段および前記通過検出手段の遊技球の検出によらず判定可能であることを特徴とする請求項１に記載の遊技機。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
始動条件の成立により判定情報を取得する取得手段と、
前記取得手段により取得された判定情報に基づいて、特別遊技を行うか否かを判定する特別遊技判定手段と、
前記特別遊技判定手段による判定結果を報知する報知演出を演出表示手段に実行させる演出制御手段と、
特定の演出モードである特定演出モードと、特定の演出モードでない非特定演出モードと、で制御可能な演出モード制御手段とを備え、
前記演出制御手段は、
前記特定演出モードおよび前記非特定演出モードにおいて特定の報知演出を実行可能であり、
外部端末に特定表示を行わせるための画像であって前記特定の報知演出に関連する特定画像と、当該特定画像を撮像することを促す促進画像と、を前記演出表示手段に同時に表示可能であり、
前記特定演出モードで制御されているときは、前記特定の報知演出が実行されると前記特定画像を前記演出表示手段に表示させる一方、前記特定の報知演出が実行されないと前記特定画像を前記演出表示手段に表示させず、
前記非特定演出モードに制御されているときは、前記特定の報知演出の実行の有無に関わらず、前記特定画像を前記演出表示手段に表示させない、遊技機。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記可変表示部の表示結果を導出させる操作を受付ける操作受付手段と、
導出を許容する表示結果を決定する事前決定手段と、
ゲームの進行を遅延させるための遅延制御を実行する遅延制御実行手段と、
前記事前決定手段の決定結果が特定決定結果になったことにもとづいて、前記遅延制御の実行に関する決定を行う制御である決定制御を実行する決定制御手段とを備え、
前記特定決定結果は、前記操作受付手段が受付けた操作手順に関わらず特定入賞が発生する表示結果が導出される決定結果であり、
前記決定制御手段は、前記事前決定手段の決定結果が前記特定決定結果になったときに前記操作受付手段が受付けた操作手順に応じて、異なる前記決定制御を実行する、スロットマシン。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示部を備え、可変表示部を変動表示した後、可変表示部の変動表示を停止することで表示結果を導出し、該表示結果に応じて入賞が発生可能なスロットマシンに関する。
【手続補正３】
【補正対象書類名】明細書
【補正対象項目名】００１０
【補正方法】変更
【補正の内容】
【００１０】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記可変表示部の表示結果を導出させる操作を受付ける操作受付手段と、
導出を許容する表示結果を決定する事前決定手段と、
ゲームの進行を遅延させるための遅延制御を実行する遅延制御実行手段と、
前記事前決定手段の決定結果が特定決定結果になったことにもとづいて、前記遅延制御の実行に関する決定を行う制御である決定制御を実行する決定制御手段とを備え、
前記特定決定結果は、前記操作受付手段が受付けた操作手順に関わらず特定入賞が発生する表示結果が導出される決定結果であり、
前記決定制御手段は、前記事前決定手段の決定結果が前記特定決定結果になったときに前記操作受付手段が受付けた操作手順に応じて、異なる前記決定制御を実行する。
なお、以下の構成を備えるものであってもよい。
（１）  遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシン（スロットマシン１）であって、
遊技状態を制御する遊技制御手段（メイン制御部４１）と、
ゲームの進行を遅延させるための遅延制御（フリーズ制御１）を実行するか否かの情報を少なくとも含む制御パターンを、複数種類の中から選択する制御パターン選択手段（メイン制御部４１によるフリーズ種別設定処理）と、
前記制御パターン選択手段によって選択された制御パターンに基づき、前記遅延制御を実行する遅延制御実行手段（メイン制御部４１によるフリーズ制御実行処理１）とを備え、
前記遊技制御手段は、特定の遊技状態（たとえば、ＲＢ２）に移行するための移行条件（たとえば、ＲＢ２当選）が成立したことを条件に、当該特定の遊技状態に移行し、
前記制御パターン選択手段は、前記移行条件の成立に伴う前記特定の遊技状態において、当該移行条件が成立したときの遊技状態（たとえば、ＲＴ０もしくはＲＴ１）に応じて異なる割合で前記制御パターンを選択する。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
自律型清浄装置であって、
右車輪アセンブリ及び左車輪アセンブリを含む駆動システムと、
サイドブラシ及び電動モータを有するサイドブラシアセンブリと、
清浄ヘッドアセンブリと、
ゴミ容器と、
前記駆動システム、前記サイドブラシアセンブリ、前記清浄ヘッドアセンブリ及び前記ゴミ容器を担持するシャーシであって、前記サイドブラシは粒子を清掃面から該清浄ヘッドアセンブリに向かわせるよう動作する、シャーシと、
前記清浄ヘッドアセンブリと前記ゴミ容器との間に配置された圧電デブリセンサであって、前記サイドブラシによって該清浄ヘッドアセンブリに向かわされ該清浄ヘッドアセンブリによって該ゴミ容器に向かわされた粒子は該圧電デブリセンサで検出可能である、圧電デブリセンサと、
前記駆動システムを制御するよう構成された制御モジュールであって、前記サイドブラシアセンブリの前記電動モータの電流の上昇に少なくとも部分的に基づいて前記自律型清浄装置の動作を調整するよう構成された、制御モジュールと、
を備える自律型清浄装置。
【請求項２】
前記清浄ヘッドアセンブリはフラッパブラシを備える、
請求項１に記載の自律型清浄装置。
【請求項３】
前記清浄ヘッドアセンブリは反回転主ブラシを更に備える、
請求項２に記載の自律型清浄装置。
【請求項４】
前記清浄ヘッドアセンブリは自己調整型である、
請求項１に記載の自律型清浄装置。
【請求項５】
前記清浄ヘッドアセンブリは電動モータ及びブラシアセンブリを更に備える、
請求項１に記載の自律型清浄装置。
【請求項６】
前記制御モジュールは、前記清浄ヘッドアセンブリの電動モータの電流の上昇に少なくとも部分的に基づいて前記自律型清浄装置の動作を調整するよう構成される、
【請求項７】
前記自律型清浄装置の動作を調整することは、該自律型清浄装置が所定の角度回転するまで該自律型清浄装置が障害物のエッジに沿って移動する行動モードを始動させることを含む、
請求項１に記載の自律型清浄装置。
【請求項８】
自律型清浄装置であって、
右車輪アセンブリ及び左車輪アセンブリを含む駆動システムと、
清浄ヘッドアセンブリと、
ゴミ容器と、
前記駆動システム、前記清浄ヘッドアセンブリ及び前記ゴミ容器を担持するシャーシであって、該清浄ヘッドアセンブリは粒子を該ゴミ容器に向かわせるよう動作する、シャーシと、
前記清浄ヘッドアセンブリと前記ゴミ容器との間に配置された圧電デブリセンサであって、該清浄ヘッドアセンブリによって該ゴミ容器に向かわされた粒子は該圧電デブリセンサで検出可能である、圧電デブリセンサと、
前記駆動システムを制御するよう構成された制御モジュールであって、前記清浄ヘッドアセンブリの電動モータの電流の上昇に少なくとも部分的に基づいて前記自律型清浄装置の動作を調整するよう構成された、制御モジュールと、
を備える自律型清浄装置。
【請求項９】
前記清浄ヘッドアセンブリはフラッパブラシを備える、
請求項８に記載の自律型清浄装置。
【請求項１０】
前記清浄ヘッドアセンブリは反回転主ブラシを更に備える、
請求項９に記載の自律型清浄装置。
【請求項１１】
前記清浄ヘッドアセンブリは自己調整型である、
請求項８に記載の自律型清浄装置。
【請求項１２】
前記清浄ヘッドアセンブリはブラシアセンブリを更に備える、
請求項８に記載の自律型清浄装置。
【請求項１３】
前記自律型清浄装置の動作を調整することは、該自律型清浄装置が所定の角度回転するまで該自律型清浄装置が障害物のエッジに沿って移動する行動モードを始動させることを含む、
請求項８に記載の自律型清浄装置。
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
コンピュータ装置において実行されるプログラムであって、
前記コンピュータ装置に、
該コンピュータ装置のユーザからの入力に応じて表示を終了させることが可能な画像を該コンピュータ装置が備える表示手段に表示させる画像表示機能と、
前記ユーザからの入力に基づいて前記画像の表示を終了させる終了機能と、
該コンピュータ装置および当該コンピュータ装置とは異なる他のコンピュータ装置を含む複数のコンピュータ装置にて、各ユーザからの入力に応じて表示を終了させることが可能な画像の表示を含む所定イベントが実行される場合、各コンピュータ装置にて前記画像の表示が終了した後、各コンピュータ装置で同一のイベントを行うための処理に移行する移行機能とを実現させ、
前記画像表示機能では、前記他のコンピュータ装置における前記画像の表示状況または表示の終了を表す画像を前記表示手段に表示させる機能を
実現させるためのプログラム。
【請求項２】
前記移行機能では、前記所定イベントとして、同一のまたは対応する画像を各コンピュータ装置に表示させた後、前記同一のイベントとして、前記複数のコンピュータ装置のユーザが同一のパーティまたは敵対するパーティを形成するゲームを行うための処理に移行する
請求項１に記載のプログラム。
【請求項３】
他のコンピュータ装置とネットワークシステムを構成するコンピュータ装置であって、
前記コンピュータ装置のユーザからの入力に応じて表示を終了させることが可能な画像を該コンピュータ装置が備える表示手段に表示させる画像表示手段と、
記ユーザからの入力に基づいて前記画像の表示を終了させる終了手段と、
該コンピュータ装置および当該コンピュータ装置とは異なる他のコンピュータ装置を含む複数のコンピュータ装置にて、各ユーザからの入力に応じて表示を終了させることが可能な画像の表示を含む所定イベントが実行される場合、各コンピュータ装置にて前記画像の表示が終了した後、各コンピュータ装置で同一のイベントを行うための処理に移行する移行手段とを含み、
前記画像表示手段は、前記他のコンピュータ装置における前記画像の表示状況または表示の終了を表す画像を前記表示手段に表示させる
コンピュータ装置。
【請求項４】
コンピュータ装置および当該コンピュータ装置とは異なる他のコンピュータ装置を含む複数のコンピュータ装置を備えるネットワークシステムであって、
前記コンピュータ装置のユーザからの入力に応じて表示を終了させることが可能な画像を該コンピュータ装置が備える表示手段に表示させる画像表示手段と、
前記ユーザからの入力に基づいて前記画像の表示を終了させる終了手段と、
前記複数のコンピュータ装置にて、各ユーザからの入力に応じて表示を終了させることが可能な画像の表示を含む所定イベントが実行される場合、各コンピュータ装置にて前記画像の表示が終了した後、各コンピュータ装置で同一のイベントを行うための処理に移行する移行手段とを含み、
前記画像表示手段は、前記他のコンピュータ装置における前記画像の表示状況または表示の終了を表す画像を前記表示手段に表示させる
ネットワークシステム。
【手続補正書】
【提出日】平成29年4月18日(2017.4.18)
【手続補正１】
【補正対象書類名】明細書
【補正対象項目名】０００４
【補正方法】変更
【補正の内容】
【０００４】
ところで、従来の遊技機は、入力手段に対する入力に応じて実行される演出の興趣性が必ずしも高いとは言えなかった。
【手続補正２】
【補正対象書類名】明細書
【補正対象項目名】０００６
【補正方法】変更
【補正の内容】
【０００６】
本発明は、上記の課題を解決するために以下の構成を採用した。
本発明に係る遊技機は、遊技者によって入力可能な入力手段と、所定条件の成立に応じて取得情報を取得する取得手段と、前記取得手段によって取得された取得情報に基づいて特別遊技を実行するか否かを判定する特別遊技判定手段と、前記特別遊技判定手段によって前記特別遊技を実行すると判定された場合に、当該特別遊技を実行する特別遊技実行手段と、所定の演出を実行する演出実行手段と、演出を制御する演出制御手段と、を備え、前記演出実行手段は、第１演出実行手段と、当該第１演出実行手段とは異なる第２演出実行手段と、を含み、前記第１演出実行手段は、所定の発光色に発光可能であり、前記第２演出実行手段は、所定の色の演出画像を表示可能であり、前記演出制御手段は、有効期間を設定可能な有効期間設定手段と、前記第１演出実行手段の発光色を変化させる第１演出態様制御手段と、前記第２演出実行手段に表示されている演出画像の色を変化させる第２演出態様制御手段と、を含み、前記第１演出態様制御手段は、前記有効期間中の前記入力手段に対する入力に応じて前記第１演出実行手段の発光色を変化させ、前記第２演出態様制御手段は、前記第１演出実行手段の発光色の変化と共に、前記第２演出実行手段に表示されている演出画像の色を変化後の当該第１演出実行手段の発光色に対応した色に変化させ、前記第２演出実行手段に表示されている変化後の演出画像の色によって前記特別遊技が実行される信頼度が示唆され、且つ、前記第１演出実行手段の変化後の発光色によって前記信頼度が示唆される。
【手続補正３】
【補正対象書類名】特許請求の範囲
【補正対象項目名】全文
【補正方法】変更
【補正の内容】
【特許請求の範囲】
【請求項１】
遊技者によって入力可能な入力手段と、
所定条件の成立に応じて取得情報を取得する取得手段と、
前記取得手段によって取得された取得情報に基づいて特別遊技を実行するか否かを判定する特別遊技判定手段と、
前記特別遊技判定手段によって前記特別遊技を実行すると判定された場合に、当該特別遊技を実行する特別遊技実行手段と、
所定の演出を実行する演出実行手段と、
演出を制御する演出制御手段と、を備え、
前記演出実行手段は、
第１演出実行手段と、当該第１演出実行手段とは異なる第２演出実行手段と、を含み、
前記第１演出実行手段は、所定の発光色に発光可能であり、
前記第２演出実行手段は、所定の色の演出画像を表示可能であり、
前記演出制御手段は、
有効期間を設定可能な有効期間設定手段と、
前記第１演出実行手段の発光色を変化させる第１演出態様制御手段と、
前記第２演出実行手段に表示されている演出画像の色を変化させる第２演出態様制御手段と、を含み、
前記第１演出態様制御手段は、
前記有効期間中の前記入力手段に対する入力に応じて前記第１演出実行手段の発光色を変化させ、
前記第２演出態様制御手段は、
前記第１演出実行手段の発光色の変化と共に、前記第２演出実行手段に表示されている演出画像の色を変化後の当該第１演出実行手段の発光色に対応した色に変化させ、
前記第２演出実行手段に表示されている変化後の演出画像の色によって前記特別遊技が実行される信頼度が示唆され、且つ、前記第１演出実行手段の変化後の発光色によって前記信頼度が示唆される、遊技機。
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
遊技に関する制御を行う制御基板と、
内部空間が形成されており、その内部空間に前記制御基板が収容されている基板ボックスと、
前記基板ボックスが取り付けられる取付部と、
前記基板ボックスに設けられた第１係合部と、
前記取付部に設けられ、前記第１係合部と係合される第２係合部と
を備え、
前記基板ボックスは、第１ボックス構成体と第２ボックス構成体とを有し、
前記第１係合部は、前記第１ボックス構成体と前記第２ボックス構成体とが組み合わされることにより形成され、
前記第１係合部と前記第２係合部との係合により、前記第１ボックス構成体と前記第２ボックス構成体との組み合わせが解除されない構成となっており、
前記第１係合部及び前記第２係合部は、それら第１係合部及び第２係合部が係合している状態では、前記第１係合部及び前記第２係合部の一方の内側に他方が位置するように構成されていることを特徴とする遊技機。
【請求項２】
パチンコ機、スロットマシン及び球使用回胴式遊技機のいずれかである請求項１に記載の遊技機。
【手続補正２】
【補正対象書類名】明細書
【補正対象項目名】０００８
【補正方法】変更
【補正の内容】
【０００８】
本発明は、
遊技に関する制御を行う制御基板と、
内部空間が形成されており、その内部空間に前記制御基板が収容されている基板ボックスと、
前記基板ボックスが取り付けられる取付部と、
前記基板ボックスに設けられた第１係合部と、
前記取付部に設けられ、前記第１係合部と係合される第２係合部と
を備え、
前記基板ボックスは、第１ボックス構成体と第２ボックス構成体とを有し、
前記第１係合部は、前記第１ボックス構成体と前記第２ボックス構成体とが組み合わされることにより形成され、
前記第１係合部と前記第２係合部との係合により、前記第１ボックス構成体と前記第２ボックス構成体との組み合わせが解除されない構成となっており、
前記第１係合部及び前記第２係合部は、それら第１係合部及び第２係合部が係合している状態では、前記第１係合部及び前記第２係合部の一方の内側に他方が位置するように構成されていることを特徴とする。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
始動条件が成立した場合、遊技者に有利な特別遊技を実行するか否かを判定するとともに該判定の結果を報知するための報知演出を実行し、該判定の結果が特別判定結果である場合は前記特別遊技を実行する遊技機であって、
前記報知演出には、複数種類の特定演出のうちいずれかの特定演出を実行可能な報知演出が含まれ、
前記特定演出の実行中に、前記判定の結果が前記特別判定結果である期待度を示唆する示唆表示を実行する示唆表示実行手段と、
通常遊技状態または、該通常遊技状態よりも遊技者に有利な特定遊技状態にて遊技を制御する遊技状態制御手段と、を備え、
前記示唆表示実行手段は、
前記通常遊技状態と前記特定遊技状態においては、前記特定演出の実行時に、実行中の示唆表示の表示態様を、第１の表示態様から該第１の表示態様よりも前記判定の結果が前記特別判定結果である期待度が高い第２の表示態様へと変化させることが可能であり、
前記通常遊技状態と前記特定遊技状態とでは、前記第１の表示態様から前記第２の表示態様に変化させる割合を異ならせた、ことを特徴とする遊技機。
【手続補正２】
【補正対象書類名】明細書
【補正対象項目名】０００６
【補正方法】変更
【補正の内容】
【０００６】
本発明にかかる遊技機は、始動条件が成立した場合、遊技者に有利な特別遊技を実行するか否かを判定するとともに該判定の結果を報知するための報知演出を実行し、該判定の結果が特別判定結果である場合は前記特別遊技を実行する遊技機であって、前記報知演出には、複数種類の特定演出のうちいずれかの特定演出を実行可能な報知演出が含まれ、前記特定演出の実行中に、前記判定の結果が前記特別判定結果である期待度を示唆する示唆表示を実行する示唆表示実行手段と、通常遊技状態または、該通常遊技状態よりも遊技者に有利な特定遊技状態にて遊技を制御する遊技状態制御手段と、を備え、前記示唆表示実行手段は、前記通常遊技状態と前記特定遊技状態においては、前記特定演出の実行時に、実行中の示唆表示の表示態様を、第１の表示態様から該第１の表示態様よりも前記判定の結果が前記特別判定結果である期待度が高い第２の表示態様へと変化させることが可能であり、前記通常遊技状態と前記特定遊技状態とでは、前記第１の表示態様から前記第２の表示態様に変化させる割合を異ならせた、ことを特徴とする。
【手続補正３】
【補正対象書類名】明細書
【補正対象項目名】０００７
【補正方法】削除
【補正の内容】
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
始動条件が成立した場合、遊技者に有利な特別遊技を実行するか否かを判定するとともに該判定の結果を報知するための報知演出を実行し、該判定の結果が特別判定結果である場合は前記特別遊技を実行する遊技機であって、
前記報知演出には、第１特定演出を実行可能な報知演出と、該第１特定演出と異なる第２特定演出を実行可能な報知演出と、が含まれ、
前記第１特定演出を実行する場合、前記特別判定結果である期待度を示唆する第１示唆表示を実行し、
前記第２特定演出を実行する場合、前記特別判定結果である期待度を示唆する第２示唆表示を実行し、
前記第１示唆表示の表示態様を、第１の表示態様、または、該第１の表示態様よりも前記特別判定結果である期待度が高い第２の表示態様に決定し、
前記第２示唆表示の表示態様を、第３の表示態様、または、該第３の表示態様よりも前記特別判定結果である期待度が高い第４の表示態様に決定し、
前記第２の表示態様に決定された場合、前記第１示唆表示を前記第１の表示態様で表示した後に、前記第２の表示態様に変化させて表示した後、前記第１特定演出を実行することが可能であり、
前記第３の表示態様に決定された場合、前記第２示唆表示を前記第３の表示態様で表示した後に、前記第４の表示態様に変化させて表示した後、前記第２特定演出を実行することが可能である、ことを特徴とする遊技機。
【手続補正２】
【補正対象書類名】明細書
【補正対象項目名】０００６
【補正方法】変更
【補正の内容】
【０００６】
本発明にかかる遊技機は、始動条件が成立した場合、遊技者に有利な特別遊技を実行するか否かを判定するとともに該判定の結果を報知するための報知演出を実行し、該判定の結果が特別判定結果である場合は前記特別遊技を実行する遊技機であって、前記報知演出には、第１特定演出を実行可能な報知演出と、該第１特定演出と異なる第２特定演出を実行可能な報知演出と、が含まれ、前記第１特定演出を実行する場合、前記特別判定結果である期待度を示唆する第１示唆表示を実行し、前記第２特定演出を実行する場合、前記特別判定結果である期待度を示唆する第２示唆表示を実行し、前記第１示唆表示の表示態様を、第１の表示態様、または、該第１の表示態様よりも前記特別判定結果である期待度が高い第２の表示態様に決定し、前記第２示唆表示の表示態様を、第３の表示態様、または、該第３の表示態様よりも前記特別判定結果である期待度が高い第４の表示態様に決定し、前記第２の表示態様に決定された場合、前記第１示唆表示を前記第１の表示態様で表示した後に、前記第２の表示態様に変化させて表示した後、前記第１特定演出を実行することが可能であり、前記第３の表示態様に決定された場合、前記第２示唆表示を前記第３の表示態様で表示した後に、前記第４の表示態様に変化させて表示した後、前記第２特定演出を実行することが可能である、ことを特徴とする。
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
隣接する遊技台の前方領域の下部を仕切る下部仕切り板であって、
仕切り板本体と、
前記仕切り板本体を固定する固定部と、を備えることを特徴とする下部仕切り板。
【請求項２】
隣接する遊技台の前方領域の下部を仕切る下部仕切り板であって、
仕切り板本体と、
広告用パネルを収容する収容部と、
前記収容部に収容された広告用パネルを保持する保持部と、を備えることを特徴とする下部仕切り板。
【請求項３】
隣接する遊技台の前方領域の下部を仕切る下部仕切り板であって、
仕切り板本体と、
前後方向及び横方向の少なくとも一方にスライドする肘置きと、を備えることを特徴とする下部仕切り板。
【請求項４】
隣接する遊技台の前方領域の下部を仕切る下部仕切り板であって、
仕切り板本体と、
前記仕切り板本体に設けられた肘置きと、
前記肘置きの前記仕切り板本体側に設けられ、前記肘置きに置かれた手が接触可能な板部材と、を備えることを特徴とする下部仕切り板。
【請求項５】
隣接する遊技台の前方領域の下部を仕切る下部仕切り板であって、
仕切り板本体と、
前記仕切り板本体に設けられた肘置きと、
前記肘置きの高さを調整する調整部と、を備えることを特徴とする下部仕切り板。
【請求項６】
前記調整部は、
前記固定部から垂直方向に立設されたフレーム部と、
前記仕切り板本体と前記フレーム部を固定する固定手段と、を有することを特徴とする請求項５に記載の下部仕切り板。
【請求項７】
隣接する遊技台の前方領域の下部を仕切る下部仕切り板であって、
仕切り板本体と、
収納状態から展開状態に展開可能なテーブルと、を備えることを特徴とする下部仕切り板。
【請求項８】
前記テーブルが前記展開状態において回動軸方向にスライドしたときに前記テーブルの回動を規制するロック部と、
前記テーブルが展開状態において前記回動軸方向に前記テーブルに対して付勢力を与える付与部と、をさらに備えることを特徴とする請求項７に記載の下部仕切り板。
【請求項９】
隣接する遊技台の前方領域の下部を仕切る下部仕切り板であって、
仕切り板本体と、
前記仕切り板本体の少なくとも一方の面に設けられたポケットと、を備えることを特徴とする下部仕切り板。
【請求項１０】
広告用パネルを収容する収容部と、
前記収容部に収容された広告用パネルを保持する保持部と、をさらに備えることを特徴とする、請求項１及び請求項３から請求項９のいずれか１項に記載の下部仕切り板。
【請求項１１】
前記仕切り板本体の側部に設けられ、前記遊技台に対して遠ざかる方向に延びるように形成される羽根部を有し、
前記羽根部は、前記仕切り板本体に取り付ける取付部を有することを特徴とする請求項１から請求項１０のいずれか１項に記載の下部仕切り板。
【請求項１２】
前記羽根部は、
広告用パネルを収容する収容部と、
前記収容部に収容された広告用パネルを保持する保持部と、を有することを特徴とする請求項１１に記載の下部仕切り板。
【請求項１３】
前記羽根部は、接触を避けるための切欠き部を有することを特徴とする請求項１から請求項１２のいずれか１項に記載の下部仕切り板。
【請求項１４】
前記仕切り板本体を膳板に固定するための固定部をさらに有することを特徴とする請求項１から請求項１３のいずれか１項に記載の下部仕切り板。
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
始動条件が成立した場合、遊技者に有利な特別遊技を実行するか否かを判定するとともに、該判定の結果を報知するための報知演出を実行し、該判定の結果が特別判定結果である場合は前記特別遊技を実行する遊技機であって、
前記報知演出には、複数種類の特定演出のうちいずれかの特定演出を実行可能な報知演出が含まれ、
前記複数種類の特定演出には、第１の特定演出と、該第１の特定演出よりも前記特別判定結果である期待度が高い第２の特定演出と、を含み、
前記第１の特定演出、または、前記第２の特定演出を実行する場合、前記判定の結果が前記特別判定結果である期待度を示唆する示唆表示を実行し、
前記示唆表示の表示態様を、第１の表示態様と、該第１の表示態様よりも前記特別判定結果である期待度が高い第２の表示態様と、該第２の表示態様よりも前記特別判定結果である期待度が高い第３の表示態様と、のいずれかに決定し、
前記第１の特定演出が開始される場合、前記第１の表示態様、または、該第１の表示態様よりも前記特別判定結果である期待度が高い第２の表示態様で表示可能であり、
前記第２の特定演出が開始される場合、前記第２の表示態様、または、該第２の表示態様よりも前記特別判定結果である期待度が高い第３の表示態様で表示可能である、ことを特徴とする遊技機。
【手続補正２】
【補正対象書類名】明細書
【補正対象項目名】０００６
【補正方法】変更
【補正の内容】
【０００６】
本発明にかかる遊技機は、始動条件が成立した場合、遊技者に有利な特別遊技を実行するか否かを判定するとともに、該判定の結果を報知するための報知演出を実行し、該判定の結果が特別判定結果である場合は前記特別遊技を実行する遊技機であって、前記報知演出には、複数種類の特定演出のうちいずれかの特定演出を実行可能な報知演出が含まれ、前記複数種類の特定演出には、第１の特定演出と、該第１の特定演出よりも前記特別判定結果である期待度が高い第２の特定演出と、を含み、前記第１の特定演出、または、前記第２の特定演出を実行する場合、前記判定の結果が前記特別判定結果である期待度を示唆する示唆表示を実行し、前記示唆表示の表示態様を、第１の表示態様と、該第１の表示態様よりも前記特別判定結果である期待度が高い第２の表示態様と、該第２の表示態様よりも前記特別判定結果である期待度が高い第３の表示態様と、のいずれかに決定し、前記第１の特定演出が開始される場合、前記第１の表示態様、または、該第１の表示態様よりも前記特別判定結果である期待度が高い第２の表示態様で表示可能であり、前記第２の特定演出が開始される場合、前記第２の表示態様、または、該第２の表示態様よりも前記特別判定結果である期待度が高い第３の表示態様で表示可能である、ことを特徴とする。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
流体（２）用の携帯型吸入器（１）であって、
前記流体（２）を収容した容器（３）を有し、
前記吸入器（１）の使用を検出するモニタ装置（２４）を有する、携帯型吸入器において、
前記モニタ装置（２４）は、加速度センサ（３０）及び該吸入器（１）から取り外し可能な別個のハウジングを有し、
前記モニタ装置（２４）は、自動的にオフに切り替わり又は作動停止され又は待機モードに移行するように構成され、
前記モニタ装置（２４）は、前記加速度センサ（３０）による前記吸入器（１）の運動の検出によって、前記モニタ装置（２４）を作動させ又は起動させることができる、吸入器。
【請求項２】
前記モニタ装置（２４）は、前記吸入器（１）の、噴霧化又はトリガから始まって或る特定の期間後に自動的にオフに切り替わり又は作動停止され又は待機モードに移行するように構成されている、請求項１に記載の吸入器。
【請求項３】
前記モニタ装置（２４）は、前記吸入器（１）の引張り操作後、噴霧化又はトリガが行われない場合、前記モニタ装置（２４）の起動又は作動後、或る期間が経過した後に自動的にオフに切り替わり又は作動停止され又は待機モードに切り替わるように構成されている、請求項１又は２に記載の吸入器。
【請求項４】
前記モニタ装置（２４）は、自動的にオフに切り替わり又は作動停止され又は待機モードに切り替わった後、前記吸入器（１）又は流体噴霧化が開始される場合、前記モニタ装置（２４）は再びオンに切り替えられ又は作動され又は起動されるように構成されている、請求項１〜３のうちいずれか１項に記載の吸入器。
【請求項５】
前記モニタ装置（２４）は、前記加速度センサ（３０）によって前記吸入器（１）の位置の変化及び／又は向きの変化が検出された場合、作動され又は起動されるように構成されている、請求項１〜４のうちいずれか１項に記載の吸入器。
【請求項６】
前記加速度センサ（３０）は、前記吸入器（１）の運動経路を判定するように構成されている、請求項１〜５のうちいずれか１項に記載の吸入器。
【請求項７】
前記モニタ装置（２４）は、前記吸入器の駆動ばね（７）の引張り操作が起こると、又は或る特定の容器位置に達すると、前記モニタ装置（２４）を起動させ又はオンに切り替えるセンサを備えている、請求項１〜６のうちいずれか１項に記載の吸入器。
【請求項８】
前記センサは、スイッチ（４１）である、請求項７記載の吸入器。
【請求項９】
前記モニタ装置（２４）は、前記吸入器（１）内の空気圧力を測定する圧力センサを備える、請求項１〜８のうちいずれか１項に記載の吸入器。
【請求項１０】
前記圧力センサは、前記吸入器（１）の給気経路（４４）の外部及び／又はマウスピース（１３）の外部に設けられている、請求項９記載の吸入器。
【請求項１１】
前記吸入器（１）は、噴霧化された流体（２）を放出する少なくとも１つの給気開口部を備えたマウスピース（１３）を有し、前記モニタ装置（２４）は前記少なくとも１つの給気開口部（１５）を覆うと共に／或いは給気通路（４４）を形成するよう構成されていると共に／或いは前記マウスピース（１３）上に配置し又はこれに装着できる、請求項９又は１０に記載の吸入器。
【請求項１２】
前記吸入器（１）は、ポンプとして構成され又は純粋に機械的に動作し、吸入とは無関係に及び／又は前記容器（３）の移動と同時に、前記流体（２）を運搬すると共に／或いは噴霧化する圧力発生器（５）を有する、請求項１〜１１のうちいずれか１項に記載の吸入器。
【請求項１３】
前記モニタ装置（２４）は、吸入又は吸息が検出されると、流体（２）の噴霧化をトリガするアクチュエータ（３３）を有し又は前記アクチュエータ（３３）を作動させる、請求項１〜１２のうちいずれか１項に記載の吸入器。
【請求項１４】
前記モニタ装置（２４）は、吸入又は噴霧化前及び吸入又は噴霧化中、前記吸入に関連した圧力又は流量データを連続的に記憶するメモリ（２８）を有する、請求項１〜１３のうちいずれか１項に記載の吸入器。
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
表示装置と入力装置とを備えるゲーム装置であって、
プレイヤキャラクタのステータスを特定するためのパラメータを変化させるパラメータ変化手段と、
パラメータ変化手段により変化した前記パラメータと少なくとも１つ以上設けられた所定の閾値との大小関係をもとに、プレイヤキャラクタのステータスを特定するステータス特定手段と、
ステータス特定手段により特定されたプレイヤキャラクタのステータスに従って、ゲームを進行させるゲーム進行手段とを備え、
前記所定の閾値が変化するものであるゲーム装置。
【請求項２】
表示装置の表示画面上に、複数の領域に区切られたゲージを用いて前記パラメータを表示するパラメータ表示手段とを備え、
前記領域が前記所定の閾値に対応する位置にてゲージを区切るものであることを特徴とする請求項１に記載のゲーム装置。
【請求項３】
前記パラメータが所定の閾値より大きい場合に、ゲーム進行上において不利となる行動をプレイヤキャラクタに実行させる不利行動実行手段とを備える請求項１又は２に記載のゲーム装置。
【請求項４】
表示装置と入力装置とを備えるコンピュータ装置に実行させるゲームプログラムであって、
コンピュータ装置を、
プレイヤキャラクタのステータスを特定するためのパラメータを変化させるパラメータ変化手段と、
パラメータ変化手段により変化した前記パラメータと少なくとも１つ以上設けられた所定の閾値との大小関係をもとに、プレイヤキャラクタのステータスを特定するステータス特定手段と、
ステータス特定手段により特定されたプレイヤキャラクタのステータスに従って、ゲームを進行させるゲーム進行手段として機能させ、
前記所定の閾値が変化するものであるゲームプログラム。
【請求項５】
表示装置と入力装置とを備えるゲーム装置において実行されるゲーム進行方法であって、
ゲーム装置において、
プレイヤキャラクタのステータスを特定するためのパラメータを変化させるステップと、
変化した前記パラメータと少なくとも１つ以上設けられた所定の閾値との大小関係をもとに、プレイヤキャラクタのステータスを特定するステップと、
特定されたプレイヤキャラクタのステータスに従って、ゲームを進行させるステップと
を有し、
前記所定の閾値が変化するものであるゲーム進行方法。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
動き演出を行う可動物を備える遊技機であって、
回転可能な一対の第１部材を持ち、第１態様と当該第１部材が当該第１態様の場合よりも互いに逆方向に回転する第２態様に変更可能な第１可動物と、
回転可能な一対の第２部材を持ち、第３態様と当該第２部材が当該第３態様の場合よりも互いに逆方向に回転する第４態様に変更可能な第２可動物と、
を備え、
前記第１態様にある前記第１可動物の前記第１部材が前記第２可動物の前記第２部材と係合している第１状態と、前記第２態様にある当該第１部材が当該第２可動物の当該第２部材と非係合である第２状態と、を実行可能であることを特徴とする遊技機。
【手続補正２】
【補正対象書類名】明細書
【補正対象項目名】０００４
【補正方法】変更
【補正の内容】
【０００４】
ここで、従来から提案されている遊技機での可動体演出では、遊技者の集中力等の維持を十分に図ることが困難であった。
本発明は、遊技の興趣性を更に高めることが可能な遊技機を提供することを目的とする。
【手続補正３】
【補正対象書類名】明細書
【補正対象項目名】０００５
【補正方法】変更
【補正の内容】
【０００５】
本発明が適用される遊技機は、動き演出を行う可動物を備える遊技機（例えばパチンコ遊技機１００）であって、回転可能な一対の第１部材を持ち、第１態様と当該第１部材が当該第１態様の場合よりも互いに逆方向に回転する第２態様に変更可能な第１可動物(例えば目玉演出体５)と、回転可能な一対の第２部材を持ち、第３態様と当該第２部材が当該第３態様の場合よりも互いに逆方向に回転する第４態様に変更可能な第２可動物(例えば上アゴ演出体４)と、を備え、前記第１態様にある前記第１可動物(例えば目玉演出体５)の前記第１部材が前記第２可動物(例えば上アゴ演出体４)の前記第２部材と係合している第１状態（例えば図３３（ｂ））と、前記第２態様にある当該第１部材が当該第２可動物(例えば上アゴ演出体４)の当該第２部材と非係合である第２状態（例えば図３５（ｄ））と、を実行可能であることを特徴とするものである。
【手続補正４】
【補正対象書類名】明細書
【補正対象項目名】０００７
【補正方法】変更
【補正の内容】
【０００７】
本発明によれば、遊技の興趣性を更に高めることが可能になる。
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
患者の高血圧症を治療するためのシステムであって、前記システムは、
開始血管から標的血管に血管・血管ガイドワイヤを配置するように構築および配置されたデバイスと、
前記血管・血管ガイドワイヤ上を前進させられるように、かつ、前記開始血管と前記標的血管との間に流路を作成するように構築および配置された流動作成デバイスと
を備え、
前記システムは、拡張期血圧の低下を引き起こすように構築および配置されている、システム。
【請求項２】
前記デバイスは、前進可能な針を備える、請求項１に記載のシステム。
【請求項３】
前記デバイスは、湾曲針を備える、請求項１に記載のシステム。
【請求項４】
前記デバイスは、前記湾曲針の湾曲方向を指し示すマーカをさらに備える、請求項３に記載のシステム。
【請求項５】
前記デバイスによって前記開始血管から前記標的血管に配置されるように構築および配置された血管・血管ガイドワイヤをさらに備える、請求項１に記載のシステム。
【請求項６】
前記血管・血管ガイドワイヤは、遠位部分と中間部分とを備え、前記中間部分は、前記遠位部分の構造とは異なる構造を備える、請求項５に記載のシステム。
【請求項７】
前記流動作成デバイスは、第１の血管場所と第２の血管場所との間に位置付けられる組織を拡張するように構成されたバルーンカテーテルを備える、請求項１に記載のシステム。
【請求項８】
前記流動作成デバイスは、第１の血管場所と第２の血管場所との間に位置付けられる組織にエネルギーを送達するように構築および配置されたエネルギー送達デバイスを備える、請求項１に記載のシステム。
【請求項９】
流路維持インプラントをさらに備え、前記流路維持インプラントは、吻合クリップを備える、請求項１に記載のシステム。
【請求項１０】
前記クリップは、複数の遠位アームと複数の近位アームとを備え、前記遠位アームは、前記近位アームから独立して展開可能である、請求項９に記載のシステム。
【請求項１１】
前記開始血管にアクセスするように構築および配置された静脈系導入器をさらに備える、請求項１に記載のシステム。
【請求項１２】
前記静脈系導入器は、斜角遠位先端を備える、請求項１１に記載のシステム。
【請求項１３】
前記静脈系導入器は、遠位部分と、前記遠位部分に搭載され、前記標的血管の中への前記導入器の不慮の前進を防止するように構築および配置されている、拡張可能要素とを備え、請求項１２に記載のシステム。
【請求項１４】
前記標的血管にアクセスするように構築および配置されている動脈系導入器をさらに備える、請求項１に記載のシステム。
【請求項１５】
前記標的血管において位置付けるために構築および配置された標的ワイヤをさらに備える、請求項１に記載のシステム。
【請求項１６】
前記標的ワイヤは、螺旋状遠位部分を備える、請求項１５に記載のシステム。
【請求項１７】
流路改変デバイスをさらに備える、請求項１に記載のシステム。
【請求項１８】
前記流路改変デバイスは、拡張可能要素を備える、請求項１７に記載のシステム。
【請求項１９】
前記拡張可能要素は、バルーンを備える、請求項１８に記載のシステム。
【請求項２０】
前記拡張可能要素は、拡張可能ケージまたは半径方向に展開可能なアームのうちの少なくとも１つを備える、請求項１８に記載のシステム。
【請求項２１】
前記流動改変デバイスは、本明細書で説明されるような血管・血管ガイドワイヤの上を送達されるように構築および配置されたオーバーザワイヤデバイス、拡張可能バルーン等の流路幾何形状を増大させるかまたは別様に改変するように構成された拡張スキャフォールド、エネルギーを流路に近接する組織に送達するように構成されたカテーテル等のエネルギー送達カテーテル、医薬品等の作用物質またはフィブリン接着剤等の接着剤を送達するように構成されたカテーテル等の作用物質送達カテーテル、および、それらの組み合わせから成る群から選択されるデバイスを備える、請求項１７に記載のシステム。
【請求項２２】
患者撮像装置をさらに備える、請求項１に記載のシステム。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
外科的な治療介入の前後の組織の血流を可視化するための方法であって、
前記外科的な治療介入の前に前記組織の複数の蛍光画像を含む第１画像データシーケンスであって、前記組織を通過する血流の、少なくとも１つの全相の血管造影サイクルを網羅する該第１画像データシーケンスを受信する工程と、
前記外科的な治療介入の後に前記組織の複数の蛍光画像を含む第２画像データシーケンスであって、前記組織を通過する血流の、少なくとも１つの全相の血管造影サイクルを網羅する該第２画像データシーケンスを受信する工程と、
前記第１画像データシーケンスの全相の血管造影サイクルの少なくとも一部を、前記第２画像データシーケンスの全相の血管造影サイクルの対応する一部とを合わせるために、前記第１及び第２画像データシーケンスの平均強度対時間曲線のピーク蛍光強度に基づき、前記第１及び第２画像データシーケンスを同期化する工程と、
前記同期化した画像データシーケンスをディスプレイに表示する工程と
を含むことを特徴とする方法。
【請求項２】
前記組織は、血行再生中の心筋、再生中の乳房組織、及び吻合中の腸組織を含むグループから選択されることを特徴とする請求項１に記載の方法。
【請求項３】
血流の前記全相の血管造影サイクルは、動脈相、微小血管相、及び静脈相を含むことを特徴とする請求項１に記載の方法。
【請求項４】
前記第１及び第２画像データシーケンスを同期化する工程は、該第１及び第２画像データシーケンス間で、前記動脈相、微小血管相、及び静脈相の少なくとも１つを相関する工程を含むことを特徴とする請求項３に記載の方法。
【請求項５】
前記第１及び第２画像データシーケンスを同期化する工程は、整列した各時間位置での相関係数を計算し、最大の相関係数に基づいて、前記第１及び第２画像データを同期化することを特徴とする請求項１に記載の方法。
【請求項６】
前記組織は、血管であり、
前記方法は、さらに、
前記同期化した画像データシーケンスに基づき、前記外科的な治療介入の前後での前記血管の相対的な血流を判定する工程を含むことを特徴とする請求項１に記載の方法。
【請求項７】
前記血管は、冠動脈バイパスグラフトであることを特徴とする請求項６に記載の方法。
【請求項８】
相対的な血流を比較する工程は、前記同期化した第１及び第２画像データシーケンス間の相対的な蛍光強度を比較する工程を含むことを特徴とする請求項６に記載の方法。
【請求項９】
相対的な蛍光強度を比較する工程は、
前記同期化した画像データシーケンス上におけるベースラインの蛍光強度の差異の変化を評価する工程と、
ベースラインの蛍光強度の前記変化に基づき、前記同期化した画像データシーケンスを調整する工程とを含むことを特徴とする請求項８に記載の方法。
【請求項１０】
前記同期化した画像データシーケンスに基づき、前記外科的な治療介入の前後の前記組織の相対的なかん流を判定する工程をさらに含むことを特徴とする請求項１に記載の方法。
【請求項１１】
前記組織の相対的なかん流を判定する工程は、閾値を超える平均蛍光強度に基づいて前記かん流を評価する工程を含むことを特徴とする請求項１０に記載の方法。
【請求項１２】
前記組織の相対的なかん流を判定する工程は、さらに、前記閾値を超える蛍光強度を有する画素数を評価する工程を含むことを特徴とする請求項１１に記載の方法。
【請求項１３】
外科的な治療介入の前後の組織の血流を可視化するためのシステムであって、
前記外科的な治療介入の前に前記組織の複数の蛍光画像を含む第１画像データシーケンスであって、前記組織を通過する血流の、少なくとも１つの全相の血管造影サイクルを網羅する該第１画像データシーケンスを受信し、
前記外科的な治療介入の後に前記組織の複数の蛍光画像を含む第２画像データシーケンスであって、前記組織を通過する血流の、少なくとも１つの全相の血管造影サイクルを網羅する該第２画像データシーケンスを受信し、
前記第１画像データシーケンスの全相の血管造影サイクルの少なくとも一部を、前記第２画像データシーケンスの全相の血管造影サイクルの対応する一部とを合わせるために、前記第１及び第２画像データシーケンスの平均強度対時間曲線のピーク蛍光強度に基づき、前記第１及び第２画像データシーケンスを同期化する、
プロセッサと、
前記同期化した画像データシーケンスを表示するディスプレイと、
を備えることを特徴とするシステム。
【請求項１４】
前記全相の血管造影サイクルは、動脈相、微小血管相、及び静脈相を含み、
前記プロセッサは、前記第１及び第２画像データシーケンス間で、前記動脈相、微小血管相、及び静脈相の少なくとも１つを相関することによって、該第１及び第２画像データシーケンスを同期化することを特徴とする請求項１３に記載のシステム。
【請求項１５】
前記プロセッサは、整列した各時間位置での相関係数を計算し、最大の相関係数に基づいて、前記第１及び第２画像データを同期化することによって、前記第１及び第２画像データシーケンスを同期化することを特徴とする請求項１３に記載のシステム。
【請求項１６】
前記組織は、血管であり、
前記プロセッサは、
前記同期化した第１及び第２画像データシーケンス間の相対的な蛍光強度を比較することによって、前記外科的な治療介入の前後での前記血管の相対的な血流を判定することを特徴とする請求項１３に記載のシステム。
【請求項１７】
前記プロセッサは、
閾値を超える平均蛍光強度に基づいて、かん流を少なくとも部分的に評価することによって、前記外科的な治療介入の前後での前記組織の相対的な前記かん流を判定することを特徴とする請求項１３に記載のシステム。
【請求項１８】
前記プロセッサは、
前記閾値を超える蛍光強度を有する画素数を少なくとも部分的に評価することによって、前記組織の相対的なかん流を判定することを特徴とする請求項１７に記載のシステム。